(57)【要約】      （修正有）【課題】飲料入りの缶容器を直接保持し、缶の飲料を直接飲用でき、コップへの移し変えにより炭酸が泡立ち、放出気抜けすることを防止する飲料缶用コップを提供する。【解決手段】飲料入り缶容器D上部の飲み口部の外周面を密閉する飲口コップ１と有底筒状体の缶保持筒２とを着脱自在の螺合で連結する構造として備え、飲料入り缶容器Ｄを保持、収納し、又缶保持筒２に代る締着環３と飲料入り缶容器D上部の飲み口部の外周面を密閉する飲口コップ１とを着脱自在の螺合で連結する構造として備え、飲料入り缶容器Dを保持することで、別なコップに移し変える事無く飲料缶より直に飲料を飲用することができ、コップへの移し変えにより炭酸が泡立ち、放出気抜けすることを防止する飲料缶用コップ。【選択図】図１
0003113379.tif 000002
【実用新案登録請求の範囲】
【請求項１】
飲料入り缶容器Ｄを収納する有底筒状体の缶保持筒２と飲口コップ１とを着脱自在の螺合で連結する構造として備え、飲料入り缶容器Ｄを保持、収納すると共に、缶飲み口部の外周面１０ａを飲口コップ１の内周面で密着、密閉することを特徴とする飲料缶用コップ。
【請求項２】
缶保持筒２に代る締着環３と飲口コップ１とを着脱自在の螺合で連結する構造として備え、飲料入り缶容器Ｄを保持すると共に、缶飲み口部の外周面１０ａを飲口コップ１の内周面で密着、密閉することを特徴とする飲料缶用コップ。
【考案の詳細な説明】
【技術分野】
【０００１】
本発明は、缶ビール、缶ジュース等を保持、収納するのに好適なコップに関する。
【背景技術】
【０００２】
従来、缶入りの冷えた飲料や温まった飲料は缶より直に飲用するか、あるいは別のコップ等に移し変えて飲用していた。
缶内の飲料が炭酸を含む清涼飲料やビールである場合には、コップへの移し変えにより炭酸が泡立ち、放出気抜けし、その味覚を幾分損ねてしまう事があった。又、缶より直に飲用する場合には、缶の縁の飲み口からの飲料のこぼれる不都合が生じることもあった。
【考案の開示】
【考案が解決しようとする課題】
【０００３】
飲料入りの缶容器を直接保持し、缶の飲料を直に飲用でき、及びコップへの移し変えにより炭酸が泡立ち、放出気抜けすることを防止するコップを提供する事にある。
【課題を解決するための手段】
【０００４】
本発明のうち、請求項目１記載の発明は、飲料入り缶容器D上部の飲み口部の外周面１０aを密閉する飲口コップ１と有底筒状体の缶保持筒２とを着脱自在の螺合で連結する構造として備え、飲料入り缶容器Ｄを保持、収納し、別なコップに移し変える事無く飲料缶より直に飲料を飲用することができ、コップへの移し変えにより炭酸が泡立ち、放出気抜けすることを防止することを特徴とする飲料缶用コップ。【０００５】
請求項目2記載の発明は、飲料入り缶容器D上部の飲み口部の外周面１０aを密閉する飲口コップ１と缶保持筒２に代る締着環３とを着脱自在の螺合で連結する構造として備え、飲料入り缶容器Dを保持し、別なコップに移し変える事無く飲料缶より直に飲料を飲用することができ、コップへの移し変えにより炭酸が泡立ち、放出気抜けすることを防止することを特徴とする飲料缶用コップ。
【考案の効果】
【０００６】
１．この発明の缶保持筒２を使用する場合の飲料缶用コップは、飲料入り缶容器
Ｄを保持、収納する事で、飲料入り缶容器Dと一体となる飲料缶用コップを形成でき、コップへの移し変えにより炭酸が幾分泡立ち、放出気抜けすることを防ぎ、缶飲料の味覚を損なわず、美味しく飲用できる。なお、飲料入り缶容器Ｄは、ステンレス製の缶保持筒2内に保持、収納されるため、多少の保冷、保温の効果を得ることができる。【０００７】
２．本発明の締結環３を使用する場合の飲料缶用コップは、飲料入り缶容器Ｄを保持する事で、飲料入り缶容器Dと一体となる飲料缶用コップを形成でき、コップへの移し変えにより炭酸が幾分泡立ち、放出気抜けすることを防ぎ、缶飲料の味覚を損なわず、美味しく飲用できる。【０００８】
３．本発明による飲料缶用コップは、低価格で製作でき、缶保持筒２、飲口コップ１に図柄や文字を表示することにより、広告を入れることも可能であり、スポンサーをつけて、飲料メーカのキャンペン期間のサービス品や、観光地の土産品、催しの贈呈品、記念品などに幅広く活用できる。
【考案を実施するための最良の形態】
【０００９】
以下、図１乃至図３に示す実施例に基づいて本発明を具体的に説明する。
図１（A）及び図２は、缶保持筒２を有する飲料缶用コップの第一実施形態を示すもので、飲口コップ１、缶保持筒２から構成される。
透明な合成樹脂製の飲口コップ１は、上部外周に末広がりのコップ型形状を成し、下部外周に雄ねじ１ａを有し、その内周面には飲料入り缶容器D上部の飲み口部の外周面１０ａを密着、密閉させる形状で形成されている。
ステンレス製の缶保持筒２は、内側上部に雌ねじ２ａを有し、飲料入り缶容器Ｄを保持、収納する有底筒状体で形成されている。【００１０】
次に飲料缶用コップに飲料入り缶容器Ｄを収納し、使用する場合について説明する。
飲料入り缶容器Ｄのふたを開け、缶保持筒２の筒内に収納する。
次に、飲料入り缶容器Ｄの上部に飲口コップ１を被覆し、飲口コップ１の外側下部の雄ねじ部１ａと缶保持筒２の内側上部の雌ねじ部２ａを螺合、連結し、雄ねじ１ａが螺合するに従って順じ下降し、飲料入り缶容器Ｄ上部の飲み口部の外周面１０ａを飲口コップ１の内側中央内周で密着、密閉することで、飲料入り缶容器Dと一体となる飲料缶用コップを形成し、コップへの移し変える事無く飲用できる。なお、飲料入り缶容器Ｄは、ステンレス製の缶保持筒2の筒内に保持、収納されることで、多少の保冷、保温の効果を得ることができる。【００１１】
図１（B）及び図３は、缶保持筒２に代る締着環３を有する飲料缶用コップの第二実施形態を示すもので、飲口コップ１、締結環３から構成される。
ステンレス製の締結環３は、飲口コップ１の外側下部の雄ねじ１aの径よりわずかに小さい径をもつ雌ねじ３ａを内側に有し、環状で形成される。【００１２】
次に飲料缶用コップに飲料入り缶容器Ｄを保持し、使用する場合について説明する。
飲料入り缶容器Ｄのふたを開け、飲料入り缶容器Dの上部に飲口コップ１を被覆する。
次に、締結環３を飲料入り缶容器Ｄの底面から挿入し、飲料入り缶容器Ｄ上部の飲み口部の外周面１０ａを飲口コップ１の内側中央内周に密着させ、ねじ１ａと締結環３の内側の雌ねじ３ａを螺合、連結し、雌ねじ３ａが螺合するに従って順じ上昇し、飲料入り缶容器Ｄの外周面を飲口コップ１の雄ねじ１ａの内周面で密着、密閉することで、飲料入り缶容器Dと一体となる飲料缶用コップを形成でき、コップへの移し変える事無く飲用できる。【００１３】
なお、本発明は上記実施例の材質に限定される事なく、下記に示すように本発明の趣旨から逸脱しない範囲において任意の材質に変更してもよい。
（１）缶保持筒２、及び締結環３の材質はステンレス製を使用しているが、これ以外に合成樹脂製やアルミ製にしてもよい。
（２）飲口コップ１の材質は合成樹脂製を使用しているが、これ以外にアルミ製にしてもよい。
【図面の簡単な説明】
【００１４】
【図１】（Ａ）本発明の缶保持筒を有する飲料缶用コップの外観を示す実施例の斜視図である。（Ｂ）本発明の締結環を有する飲料缶用コップの外観を示す実施例の斜視図である。
【図２】（Ａ）本発明の缶保持筒を有する飲料缶用コップの缶保持前の縦断面図である。（Ｂ）本発明の缶保持筒を有する飲料缶用コップの缶保持後の縦断面図である。
【図３】（Ａ）本発明の締結環を有する飲料缶用コップの缶保持前の縦断面図である。（Ｂ）本発明の締結環を有する飲料缶用コップの缶保持後の縦断面図である。
【符号の説明】
【００１５】
Ｄ  被対象物(飲料入り缶容器)
１  飲口コップ
２  缶保持筒
３  締着環
【図１】
0003113379.tif 000003
【図２】
0003113379.tif 000004
【図３】
0003113379.tif 000005